(57)【要約】【課題】必要な強度を確保しつつ前面キャビネットの額縁幅の狭小化を図ることができるとともに、装置構成の簡素化と組立の簡易化を図ることができる表示装置を提供する。【解決手段】映像を映し出す表示パネル３の外周部を取り囲むように額縁形状に形成される前面キャビネット２を板金部材９と樹脂部材１０との複合体で形成し、板金部材９は、表示パネル３の側面に対向する側板部分１３ａと、この側板部分１３ａに連設されて表示パネル３の外周部の前面に対向する表示パネル前側折曲板部１４と、側板部分１３ａに連設されて表示パネル３の外周部の後面に対向する表示パネル後側折曲板部１５とを有するものとし、樹脂部材１０は、表示パネル３の外周部の前面と表示パネル前側折曲板部１４との間に介在されてその表示パネル前側折曲板部１４に一体的に接合されているものとする。【選択図】図４
2010237474.tif 000002
【特許請求の範囲】
【請求項１】
映像を映し出す表示パネルと、この表示パネルの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示パネルの側面に対向する側板部と、この側板部に連設されて前記表示パネルの外周部の前面に対向する表示パネル前側折曲板部と、前記側板部に連設されて前記表示パネルの外周部の後面に対向する表示パネル後側折曲板部とを有し、
前記樹脂部材は、前記表示パネルの外周部の前面と前記表示パネル前側折曲板部との間に介在されてその表示パネル前側折曲板部に一体的に接合されていることを特徴とする表示装置。
【請求項２】
映像を映し出す表示パネルと、この表示パネルの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示パネルの側面に対向する側板部と、この側板部に連設されて前記表示パネルの外周部の前面に対向する表示パネル前側折曲板部とを有し、
前記樹脂部材は、前記表示パネルの外周部の前面と前記表示パネル前側折曲板部との間に介在されてその表示パネル前側折曲板部に一体的に接合され、
前記表示パネルを後方から押え付ける押付部材を前記側板部に装着することを特徴とする表示装置。
【請求項３】
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部と、前記側板部に連設されて前記表示器モジュールの外周部の後面に対向する表示器モジュール後側折曲板部とを有し、
前記樹脂部材は、前記表示器モジュールの外周部の前面と前記表示器モジュール前側折曲板部との間に介在されてその表示器モジュール前側折曲板部に一体的に接合されていることを特徴とする表示装置。
【請求項４】
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部とを有し、
前記樹脂部材は、前記表示器モジュールの外周部の前面と前記表示器モジュール前側折曲板部との間に介在されてその表示器モジュール前側折曲板部に一体的に接合され、
前記表示器モジュールを後方から押え付ける押付部材を前記側板部に装着することを特徴とする表示装置。
【請求項５】
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部と、前記側板部の一部を折り曲げて前記表示器モジュールの外周部の後面に突き合わせるように形成した係止爪部とを有し、
前記樹脂部材は、前記表示器モジュールの外周部の前面と前記表示器モジュール前側折曲板部との間に介在されてその表示器モジュール前側折曲板部に一体的に接合されていることを特徴とする表示装置。
【請求項６】
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部と、前記側板部に連設されて前記表示器モジュールの外周部の後面の後方に位置する取付ブラケット部とを有し、
前記樹脂部材は、前記表示器モジュールの外周部の前面と前記表示器モジュール前側折曲板部との間に介在されてその表示器モジュール前側折曲板部に一体的に接合され、
前記後面キャビネットは、該後面キャビネットが前記取付ブラケット部に締結された状態で、前記表示器モジュールの後面に突き当てられる突起部を有することを特徴とする表示装置。
【発明の詳細な説明】
【技術分野】
【０００１】
本発明は、例えば液晶テレビや液晶モニター等の表示装置に関するものである。
【背景技術】
【０００２】
この種の表示装置として、例えば特許文献１にて提案されているものがある。
【先行技術文献】
【特許文献】
【０００３】
【特許文献１】特開２００６−２３５４２５号公報
【０００４】
特許文献１に係る表示装置は、額縁形状に形成される樹脂製の前面キャビネットに表示パネルを組み付け、この表示パネルの後方に拡散板、バックライト装置および制御回路ユニットをそれぞれ配置し、前面キャビネットに後面キャビネットを装着することによって組み立てられる。
この表示装置においては、前面キャビネットにボス部を設け、このボス部にパネルホルダをビスで固定し、このパネルホルダを用いて表示パネルを保持するようにされている。
【０００５】
ところで、特許文献１に係る表示装置では、パネルホルダをビスで固定するためのビス締付用のボス部を前面キャビネットに設けるために、前面キャビネットの額縁幅を広くとる必要がある。
このため、デザイン向上の観点上、前面キャビネットの額縁部分の平滑性、光沢性などをより高めて美麗に仕上げる必要があり、コストが嵩むという問題点がある。
また、特許文献１に係る表示装置では、表示パネルを前面キャビネットに組み付けるにあたって、パネルホルダやそのパネルホルダを固定するためのビスが必要であるとともに、ビスの締付作業も必要となる。
このため、装置構成部品が多くて管理コストの増大を招くとともに、組立に多大な時間と労力を要するという問題点がある。
また、特許文献１に係る表示装置では、表示パネルを専用の保持部材であるベゼルを用いることなく前面キャビネットに組み付けるようにすることで軽量化と部品点数の削減を図っているが、これでは主として樹脂製の前面キャビネットで表示パネルを保持することになり、樹脂製の前面キャビネットだけでは強度が不足するため、別途にパネルフレームを採用することで強度維持を図るようにしている。
しかしながら、ベゼルを無くすことができてもその代わりにパネルフレームを採用しなければならないため、軽量化と部品点数の削減を実質的に図ることができないという問題点がある。
仮に、前面キャビネットを樹脂材料のみで形成した場合、外観性の問題から補強材の無い材料選定となるため、強度・剛性が低くなり、形状を大きくして剛性不足を補わなければならず、開口率を小さくするにも限界があるから結果として、前面キャビネットの額縁幅を広くしなければならないという問題点がある。
なお、表示パネルを含む複数の表示器構成部品を集めて１つの組立部品として構成した表示器モジュールを前後のキャビネットで支持する構造の表示装置についても、表示器モジュールを前面キャビネットに組み付けるために、前記ビス締付用のボス部と同様のボス部を前面キャビネットに設ける必要があり、上記と同様の問題点が生じるのは言うまでもない。
【発明の概要】
【発明が解決しようとする課題】
【０００６】
本発明は、前述のような問題点に鑑みてなされたもので、必要な強度を確保しつつ前面キャビネットの額縁幅の狭小化を図ることができるとともに、装置構成の簡素化と組立の簡易化を図ることができる表示装置を提供することを目的とするものである。
【課題を解決するための手段】
【０００７】
前記目的を達成するために、第１発明による表示装置は、
映像を映し出す表示パネルと、この表示パネルの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示パネルの側面に対向する側板部と、この側板部に連設されて前記表示パネルの外周部の前面に対向する表示パネル前側折曲板部と、前記側板部に連設されて前記表示パネルの外周部の後面に対向する表示パネル後側折曲板部とを有し、
前記樹脂部材は、前記表示パネルの外周部の前面と前記表示パネル前側折曲板部との間に介在されてその表示パネル前側折曲板部に一体的に接合されていることを特徴とするものである。
【０００８】
次に、第２発明による表示装置は、
映像を映し出す表示パネルと、この表示パネルの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示パネルの側面に対向する側板部と、この側板部に連設されて前記表示パネルの外周部の前面に対向する表示パネル前側折曲板部とを有し、
前記樹脂部材は、前記表示パネルの外周部の前面と前記表示パネル前側折曲板部との間に介在されてその表示パネル前側折曲板部に一体的に接合され、
前記表示パネルを後方から押え付ける押付部材を前記側板部に装着することを特徴とするものである。
【０００９】
次に、第３発明による表示装置は、
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部と、前記側板部に連設されて前記表示器モジュールの外周部の後面に対向する表示器モジュール後側折曲板部とを有し、
前記樹脂部材は、前記表示器モジュールの外周部の前面と前記表示器モジュール前側折曲板部との間に介在されてその表示器モジュール前側折曲板部に一体的に接合されていることを特徴とするものである。
【００１０】
次に、第４発明による表示装置は、
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部とを有し、
前記樹脂部材は、前記表示器モジュールの外周部の前面と前記表示器モジュール前側折曲板部との間に介在されてその表示器モジュール前側折曲板部に一体的に接合され、
前記表示器モジュールを後方から押え付ける押付部材を前記側板部に装着することを特徴とするものである。
【００１１】
次に、第５発明による表示装置は、
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部と、前記側板部の一部を折り曲げて前記表示器モジュールの外周部の後面に突き合わせるように形成した係止爪部とを有し、
前記樹脂部材は、前記表示器モジュールの外周部の前面と前記表示器モジュール前側折曲板部との間に介在されてその表示器モジュール前側折曲板部に一体的に接合されていることを特徴とするものである。
【００１２】
次に、第６発明による表示装置は、
映像を映し出す表示パネルを含む複数の表示器構成部品を集めて１つの組立部品として構成した表示器モジュールと、この表示器モジュールの外周部を取り囲むように額縁形状に形成される前面キャビネットと、この前面キャビネットに組み合わされる後面キャビネットとを備える表示装置において、
前記前面キャビネットは、板金部材と樹脂部材との複合体であり、
前記板金部材は、前記表示器モジュールの側面に対向する側板部と、この側板部に連設されて前記表示器モジュールの外周部の前面に対向する表示器モジュール前側折曲板部と、前記側板部に連設されて前記表示器モジュールの外周部の後面の後方に位置する取付ブラケット部とを有し、
前記樹脂部材は、前記表示器モジュールの外周部の前面と前記表示器モジュール前側折曲板部との間に介在されてその表示器モジュール前側折曲板部に一体的に接合され、
前記後面キャビネットは、該後面キャビネットが前記取付ブラケット部に締結された状態で、前記表示器モジュールの後面に突き当てられる突起部を有することを特徴とするものである。
【発明の効果】
【００１３】
第１発明の表示装置においては、板金部材における側板部と表示パネル前側折曲板部と表示パネル後側折曲板部との間に表示パネルを組み込むことにより、表示パネルがそれら側板部、表示パネル前側折曲板部および表示パネル後側折曲板部によって保持され、表示パネルが前面キャビネットに組み付けられる。
この第１発明の表示装置によれば、従来技術（特許文献１参照）では表示パネルを前面キャビネットに組み付けるためにその前面キャビネットに設ける必要があるビス締付用のボス部が不要になるので、少なくともその分だけ前面キャビネットの額縁幅を狭くすることができる。
なお、前面キャビネットの額縁幅を狭くすると、前面キャビネットの強度が低下するが、板金部材における表示パネル前側折曲板部に一体的に接合されている樹脂部材の体積（厚み）を表示パネルの厚み方向に増やすことでその強度低下分を補うことができる。
したがって、必要な強度を確保しつつ前面キャビネットの額縁幅の狭小化を図ることができる。
また、従来技術（特許文献１参照）では表示パネルを前面キャビネットに組み付けるにあたって必要とされるパネルホルダやそのパネルホルダを固定するためのビス、ビス締付作業が不要になるので、装置構成の簡素化と組立の簡易化を図ることができる。
また、前面キャビネットを樹脂部材だけで構成したのでは不足する強度を板金部材との複合体構造にすることで補うようにしており、従来技術では必要とされるパネルフレーム等を無くすことができて部品点数の削減と軽量化を図ることができるとともに、前面キャビネット自体の剛性アップにより表示パネルを保持する係り代を最小限にすることができる。
【００１４】
第２発明の表示装置においては、板金部材における側板部と表示パネル前側折曲板部との間に表示パネルを組み込むとともに、表示パネルを後方から押え付ける押付部材を板金部材の側板部に装着することにより、表示パネルがそれら側板部、表示パネル前側折曲板部および押付部材によって保持され、表示パネルが前面キャビネットに組み付けられる。
【００１５】
第３発明の表示装置においては、板金部材における側板部と表示器モジュール前側折曲板部と表示器モジュール後側折曲板部との間に表示器モジュールを組み込むことにより、表示器モジュールがそれら側板部、表示器モジュール前側折曲板部および表示器モジュール後側折曲板部によって保持され、表示器モジュールが前面キャビネットに組み付けられる。
【００１６】
第４発明の表示装置においては、板金部材における側板部と表示器モジュール前側折曲板部との間に表示器モジュールを組み込むとともに、表示器モジュールを後方から押え付ける押付部材を板金部材の側板部に装着することにより、表示器モジュールがそれら側板部、表示器モジュール前側折曲板部および押付部材によって保持され、表示器モジュールが前面キャビネットに組み付けられる。
【００１７】
第５発明の表示装置においては、板金部材における側板部と表示器モジュール前側折曲板部と係止爪部との間に表示器モジュールを組み込むことにより、表示器モジュールがそれら側板部、表示器モジュール前側折曲板部および係止爪部によって保持され、表示器モジュールが前面キャビネットに組み付けられる。
【００１８】
第６発明の表示装置においては、板金部材における側板部と表示器モジュール前側折曲板部との間に表示器モジュールを組み込むとともに、表示器モジュールの後面に突き当てられる突起部を有する後面キャビネットを板金部材の取付ブラケット部に締結することにより、表示器モジュールがそれら側板部、表示器モジュール前側折曲板部および突起部によって保持され、表示器モジュールが前面キャビネットに組み付けられる。
【００１９】
第２発明乃至第６発明の表示装置によれば、前記第１発明と同様の作用効果を得ることができる。
【図面の簡単な説明】
【００２０】
【図１】本発明の第１の実施形態に係る表示装置の全体斜視図である。
【図２】第１の実施形態に係る表示装置の分解斜視図である。
【図３】第１の実施形態に係る表示装置の背面図で、後面キャビネットの一部を破断して表した図である。
【図４】図３のＡ−Ａ線断面図である。
【図５】図４のＢ−Ｂ線断面図である。
【図６】拡散板取付座部の拡大断面図である。
【図７】第２の実施形態に係る表示装置の要部断面図である。
【図８】第３の実施形態に係る表示装置の分解斜視図である。
【図９】第３の実施形態に係る表示装置の背面図で、後面キャビネットの一部を破断して表した図である。
【図１０】図９のＣ−Ｃ線断面図である。
【図１１】第３の実施形態の表示装置の変形例（１）に係る表示装置の要部断面図である。
【図１２】図１１のＤ−Ｄ線断面図である。
【図１３】第３の実施形態の表示装置の変形例（２）に係る表示装置の要部断面図である。
【図１４】第３の実施形態の表示装置の変形例（３）に係る表示装置の要部断面図である。
【図１５】第４の実施形態に係る表示装置の要部断面図である。
【図１６】第５の実施形態に係る表示装置の要部断面図である。
【図１７】第６の実施形態に係る表示装置の要部断面図である。
【発明を実施するための形態】
【００２１】
次に、本発明による表示装置の具体的な実施の形態について、図面を参照しつつ説明する。
【００２２】
〔第１の実施形態〕
まず、本発明の第１の実施形態に係る表示装置１について図１〜図６を用いて以下に説明する。
図１および図２に示されるように、本実施形態の表示装置１は、表示画面に対応する開口部２ａを有する四角額縁形状の前面キャビネット２と、映像を映し出す液晶パネル等の表示パネル３と、光源からの光を散乱させて表示パネル３を均一に照射するための第１拡散板４ａ、第２拡散板４ｂ、第３拡散板４ｃおよび第４拡散板４ｄを積層してなる拡散板ユニット４と、表示パネル３に向けて光を照射する光源としてのバックライト装置５と、表示パネル３やバックライト装置５を制御する制御回路ユニット６と、前面キャビネット２に組み合わされる後面キャビネット７とを備えている。
この表示装置１においては、前面キャビネット２に表示パネル３を組み付け、この表示パネル３の後方に拡散板ユニット４、バックライト装置５および制御回路ユニット６をそれぞれ配置し、前面キャビネット２に後面キャビネット７を装着することによって組み立てられる。
この表示装置１では、主として表示パネル３、拡散板ユニット４およびバックライト装置５によって表示器８が構成され、この表示器８を前後のキャビネット２，７で支持する構造を呈している。
【００２３】
図３に示されるように、前面キャビネット２は、板金部材９と樹脂部材１０との複合体であり、板金部材９を予め射出成型用金型内に設置し、その後、この金型内に樹脂を注入する射出成形法（アウトサート成形法）により、板金部材９と樹脂部材１０とを一体化成形して作製されるものである。
【００２４】
板金部材９は、左右にそれぞれに配されて上下方向に延設される縦桟１１（右側のみ図示）と、上下にそれぞれ配されて左右方向に延設される横桟１２とが一体的に組まれて四角枠形状に形成されている。この板金部材９は、弾性（ばね性）と共に導通性を有する金属板にプレス加工を施すことにより作製される。
【００２５】
なお、本実施形態では、板金部材９として、左右の縦桟１１と上下の横桟１２とが一体の構成のものを例示したが、これに限定されるものではなく、左右の縦桟１１および上下の横桟１２をそれぞれ独立にプレス加工にて作製し、各縦桟１１と各横桟１２とを接合手段により接合して板金部材９を組み立てる構成を採用してもよい。ここで、接合手段としては、図示による詳細説明は省略するが、例えば、各縦桟１１に形成した嵌合凹部（または嵌合凸部）と、各横桟１２に形成した嵌合凸部（または嵌合凹部）とを嵌め合わせて接合するというものが挙げられる。
【００２６】
次に、板金部材９のより詳細な構造について図４および図５を用いて以下に説明する。
【００２７】
図４に示されるように、板金部材９は、側板部１３、表示パネル前側折曲板部１４、表示パネル後側折曲板部１５、バックライト装置前側折曲板部１６、バックライト装置後側折曲板部１７、取付ブラケット部１８およびステー部１９をそれぞれ有している。
【００２８】
側板部１３は、表示パネル３の側面に対向する第１側板部分１３ａと、拡散板ユニット４の側面に対向する第２側板部分１３ｂと、バックライト装置５の側面に対向する第３側板部分１３ｃとにより構成されている。
【００２９】
表示パネル前側折曲板部１４は、表示パネル３の外周部の前面に対向するように第１側板部分１３ａの前部に連設されている。
表示パネル後側折曲板部１５は、表示パネル３の外周部の後面に対向するとともに、第１拡散板４ａの外周部の前面に対向するように第１側板部分１３ａの後部に連設されている。
【００３０】
バックライト装置前側折曲板部１６は、第４拡散板４ｄの外周部の後面に対向するとともに、バックライト装置５の外周部の前面に対向するように第３側板部分１３ｃの前部に連設されている。
バックライト装置後側折曲板部１７は、バックライト装置５の外周部の後面に対向するように第３側板部分１３ｃの後部に連設されている。
【００３１】
取付ブラケット部１８は、第３側板部分１３ｃから後方に立ち上がり状に連設される起立板部１８ａと、この起立板部１８ａから内向き（図４では右向き）に連設される内向フランジ板部１８ｂとにより構成されている。なお、この取付ブラケット部１８は、図３に示されるように、縦桟１１のみならず、制御回路ユニット６の取付フランジ部６ａに対応して横桟１２にも設けられている。
【００３２】
図４に示されるように、ステー部１９は、第２側板部分１３ｂから外向き（図４では左向き）に張り出される張出板部１９ａと、この張出板部１９ａの張出方向先端部に後方に向けて延設される係合突起板部１９ｂとにより構成されている。
【００３３】
なお、図５に示されるように、表示パネル後側折曲板部１５およびバックライト装置前側折曲板部１６は、側板部１３の一部を内向き（図５では読み手から紙面を垂直に貫く方向）に折り曲げて形成され、ステー部１９は、側板部１３の一部を外向き（紙面から垂直に読み手側に向かう方向）に折り曲げて形成される。
【００３４】
このような構造の板金部材９は、前面キャビネット２の骨組を構成する主強度材としての役目をするのは勿論のこと、表示パネル３の外周部に配線されている信号線２０（図４参照）に対して外部ノイズ（電磁波）が作用するのを防ぐシールド材としての役目をする。
【００３５】
次に、樹脂部材１０のより詳細な構造について図４を用いて以下に説明する。
【００３６】
図４に示されるように、樹脂部材１０は、表示パネル側面突合部２１、表示パネル前面突合部２２、額縁部２３、リブ部２４、拡散板取付座部２５および外周カバー部２６をそれぞれ有している。
【００３７】
表示パネル側面突合部２１は、表示パネル３の側面と第１側板部分１３ａとの間に介在されてその第１側板部分１３ａの内面に一体的に接合されている。
表示パネル前面突合部２２は、表示パネル３の外周部の前面と表示パネル前側折曲板部１４との間に介在されてその表示パネル前側折曲板部１４の後面に一体的に接合されている。
【００３８】
額縁部２３は、額縁内周部分２３ａと額縁外周部分２３ｂとにより構成されている。額縁内周部分２３ａは、幅寸法がＷ１に設定されて前面キャビネット２の額縁内周部を構成し、表示パネル前面突合部２２から表示パネル前側折曲板部１４の前面側に連続してその表示パネル前側折曲板部１４の前面に一体的に接合されている。額縁外周部分２３ｂは、幅寸法がＷ２に設定されて前面キャビネット２の額縁外周部を構成する。額縁内周部分２３ａの幅寸法Ｗ１と額縁外周部分２３ｂの幅寸法がＷ２との合計が前面キャビネット２の額縁幅寸法Ｗとなる。
【００３９】
リブ部２４は、額縁部２３から後方に向けて延設されて第１側板部分１３ａの外面に一体的に接合されている。
【００４０】
拡散板取付座部２５は、リブ部２４から表示パネル後側折曲板部１５の後面側に連続してその表示パネル後側折曲板部１５の後面に一体的に接合されている。
この拡散板取付座部２５は、図６に示されるように、第１拡散板側面突合面２５ａと、第２拡散板側面突合面２５ｂと、第３拡散板側面突合面２５ｃと、第２拡散板前面突合面２５ｄと、第３拡散板前面突合面２５ｅと、第４拡散板前面突合面２５ｆとを有する複数段付形状に形成されている。
ここで、第１拡散板側面突合面２５ａは、第１拡散板４ａの側面に突き合わされる面であり、第２拡散板側面突合面２５ｂは、第２拡散板４ｂの側面に突き合わされる面であり、第３拡散板側面突合面２５ｃは、第３拡散板４ｃの側面に突き合わされる面である。
また、第２拡散板前面突合面２５ｄは、第２拡散板４ｂの外周部の前面に突き合わされる面であり、第３拡散板前面突合面２５ｅは、第３拡散板４ｃの外周部の前面に突き合わされる面であり、第４拡散板前面突合面２５ｆは、第４拡散板４ｄの外周部の前面に突き合わされる面である。
【００４１】
図４に示されるように、外周カバー部２６は、前面キャビネット２の外周面を構成するものであり、リブ部２４の外側位置において額縁部２３の外周縁から後方に向けて延設され、ステー部１９における係合突起板部１９ｂの先端部を残すようにしてその係合突起板部１９ｂに一体的に接合されている。
【００４２】
樹脂部材１０は、板金部材９を補強する補強材としての役目をするとともに、表示パネル３や拡散板ユニット４に対する保護材としての役目をする。この樹脂部材１０を構成する樹脂としては、良外観性や強度、耐クリープ性、耐熱性などを考慮すると、結晶性樹脂が望ましく、例えば、ナイロン、芳香族ナイロン、ポリフェニレンサルファイド（ＰＰＳ樹脂）、液晶ポリマー（ＬＣＰ樹脂）、ポリブチレンテレフタレート（ＰＢＴ樹脂）、ポリエチレンテレフタレート（ＰＥＴ樹脂）等が好適に用いられる。
樹脂部材１０は、板金部材９の補強材として重要な役目を担うので、前述列挙の樹脂素材にガラス繊維等の針状充填材を混入してその強度を高めた強化樹脂で構成するのが好ましい。この強化樹脂において、針状充填材の充填量は５質量％以上とするのが好ましい。また、針状充填材としては、針状繊維のＬ／Ｄ（長さ／直径）が２以上のものが好ましい。
【００４３】
図４に示されるように、表示パネル３の外周部の後面と表示パネル後側折曲板部１５との間には、緩衝材２７が介在されている。この緩衝材２７は、表示パネル後側折曲板部１５の前面に予め貼り付けられている。
第４拡散板４ｄの側面と第２側板部分１３ｂとの間には、緩衝材２８が介在されている。この緩衝材２８は、第２側板部分１３ｂの内面に予め貼り付けられている。
第４拡散板４ｄの外周部の後面とバックライト装置前側折曲板部１６との間には、緩衝材２９が介在されている。この緩衝材２９は、バックライト装置前側折曲板部１６の前面に予め貼り付けられている。
バックライト装置後側折曲板部１７の折曲方向先端部には、バックライト装置５の後面に接当される緩衝材３０が装着されている。
緩衝材２７，２８，２９，３０の素材としては、ゴムや樹脂などのように外部からの衝撃や振動を和らげる機能を有するものであれば特に限定されるものではない。
なお、緩衝材２７，２８，２９，３０は、前面キャビネット２を形成する樹脂材料を射出成形する際に、その樹脂材料で同時に射出成形により形成しても良い（後述する緩衝材６７，７０，８３についても同様）。
【００４４】
後面キャビネット７は、樹脂製で、後面カバー部７ａと、外周カバー部７ｂとを有している。後面カバー部７ａは、前面キャビネット２に組み付けられた表示器８の後面を覆って後面キャビネット７の後面を構成する。外周カバー部７ｂは、後面キャビネット７の外周面を構成するものであり、後面カバー部７ａの外周縁部から前方に向けて延設され、前面キャビネット２における外周カバー部２６に突き合わされる。
【００４５】
この後面キャビネット７の後面カバー部７ａには、板金部材９における取付ブラケット部１８の内向フランジ板部１８ｂに突き合わされるボス部３１が形成されている。このボス部３１を貫通して内向フランジ板部１８ｂに螺合するビス３２の締め付けにより、後面キャビネット７が前面キャビネット２に固定される。
この後面キャビネット７の外周カバー部７ｂには、板金部材９におけるステー部１９の係合突起板部１９ｂに対応する係合穴部３３が形成されている。これら係合突起板部１９ｂと係合穴部３３とを合わせるようにして、前面キャビネット２における外周カバー部２６と後面キャビネット７における外周カバー部７ｂとを突き合わせることにより、前面キャビネット２に対し後面キャビネット７を容易に位置決めして装着することができる。
【００４６】
以上に述べたように構成される表示装置１は、表示パネル組付工程、拡散板組付工程、バックライト装置組付工程、制御回路ユニット組付工程および後面キャビネット組付工程を経て組み立てられる。
【００４７】
（表示パネル組付工程：図４参照）
表示パネル３の側面を表示パネル側面突合部２１に突き合わせるとともに、表示パネル３の外周部の前面を表示パネル前面突合部２２に突き合わせるようにして、表示パネル３を第１側板部分１３ａと表示パネル前側折曲板部１４と表示パネル後側折曲板部１５との間に組み込む。こうして、表示パネル３は、第１側板部分１３ａと表示パネル前側折曲板部１４と表示パネル後側折曲板部１５とによって保持されるので、表示パネル３を前面キャビネット２に容易に組み付けることができる。また、表示パネル側面突合部２１、表示パネル前面突合部２２および緩衝材２７により、外部から表示パネル３に伝達される衝撃や振動が抑えられるので、表示パネル３を外部からの衝撃等から保護することができる。また、緩衝材２７の弾性力により、表示パネル３をより安定的に保持することができる。
【００４８】
この表示パネル組付工程において、例えば手指や専用の工具、専用の治具（以下、「治具等」という。）を用いて、表示パネル前側折曲板部１４に対し表示パネル後側折曲板部１５を引き離す方向に操作力を作用させて表示パネル後側折曲板部１５を予め外側に撓ませておくことにより、表示パネル３の組み込み作業をより容易に行うことができる。なお、治具等の操作力を解除すると、板金部材９が有するばね性によって、表示パネル後側折曲板部１５が元の状態に復帰する。
【００４９】
（拡散板組付工程：図４および図６参照）
まず、第１拡散板４ａの側面を第１拡散板側面突合面２５ａに突き合わせるとともに、第１拡散板４ａの外周部の前面を表示パネル後側折曲板部１５に突き合わせるようにして、第１拡散板４ａを第２側板部分１３ｂと表示パネル後側折曲板部１５とバックライト装置前側折曲板部１６との間に組み込む。
次いで、第２拡散板４ｂの側面を第２拡散板側面突合面２５ｂに突き合わせるとともに、第２拡散板４ｂの外周部の前面を第２拡散板前面突合面２５ｄに突き合わせるようにして、第２拡散板４ｂを第２側板部分１３ｂと表示パネル後側折曲板部１５とバックライト装置前側折曲板部１６との間に組み込む。
次いで、第３拡散板４ｃの側面を第３拡散板側面突合面２５ｃに突き合わせるとともに、第３拡散板４ｃの外周部の前面を第３拡散板前面突合面２５ｅに突き合わせるようにして、第３拡散板４ｃを第２側板部分１３ｂと表示パネル後側折曲板部１５とバックライト装置前側折曲板部１６との間に組み込む。
次いで、第４拡散板４ｄの外周部の前面を第４拡散板前面突合面２５ｆに突き合わせるようにして、第４拡散板４ｄを第２側板部分１３ｂと表示パネル後側折曲板部１５とバックライト装置前側折曲板部１６との間に組み込む。
【００５０】
こうして、第１拡散板４ａ乃至第４拡散板４ｄが積層されてなる拡散板ユニット４が、第２側板部分１３ｂと表示パネル後側折曲板部１５とバックライト装置前側折曲板部１６とによって保持されるので、拡散板ユニット４を前面キャビネット２に容易に組み付けることができる。また、拡散板取付座部２５および緩衝材２８，２９により、外部から拡散板ユニット４に伝達される衝撃や振動が抑えられるので、拡散板ユニット４を外部からの衝撃等から保護することができる。また、緩衝材２８，２９の弾性力により、拡散板ユニット４をより安定的に保持することができる。
【００５１】
この拡散板組付工程において、治具等を用いて、表示パネル後側折曲板部１５に対しバックライト装置前側折曲板部１６を引き離す方向に操作力を作用させてバックライト装置前側折曲板部１６を予め外側に撓ませておくことにより、拡散板ユニット４の組み込み作業をより容易に行うことができる。なお、治具等の操作力を解除すると、板金部材９が有するばね性によって、バックライト装置前側折曲板部１６が元の状態に復帰する。
【００５２】
（バックライト装置組付工程：図４参照）
バックライト装置５の側面を第３側板部分１３ｃに突き合わせるとともに、バックライト装置５の外周部の前面をバックライト装置前側折曲板部１６に突き合わせるようにして、バックライト装置５を第３側板部分１３ｃとバックライト装置前側折曲板部１６とバックライト装置後側折曲板部１７との間に組み込む。このバックライト装置５の組込作業の後に緩衝材３０をバックライト装置後側折曲板部１７に装着する、あるいは該組込作業の前に予め緩衝材３０をバックライト装置後側折曲板部１７に装着する、のいずれであってもよい。
【００５３】
こうして、バックライト装置５は、第３側板部分１３ｃとバックライト装置前側折曲板部１６とバックライト装置後側折曲板部１７とによって保持されるので、バックライト装置５を前面キャビネット２に容易に組み付けることができる。また、緩衝材３０により、外部からバックライト装置５に伝達される衝撃や振動が抑えられるので、バックライト装置５を外部からの衝撃等から保護することができる。また、緩衝材３０の弾性力により、バックライト装置５をより安定的に保持することができる。
【００５４】
このバックライト装置組付工程において、治具等を用いて、バックライト装置前側折曲板部１６に対しバックライト装置後側折曲板部１７を引き離す方向に操作力を作用させてバックライト装置後側折曲板部１７を予め外側に撓ませておくことにより、バックライト装置５の組み込み作業をより容易に行うことができる。なお、治具等の操作力を解除すると、板金部材９が有するばね性によって、バックライト装置後側折曲板部１７が元の状態に復帰する。
【００５５】
（制御回路ユニット組付工程：図３参照）
制御回路ユニット６に設けられている取付フランジ部６ａを、板金部材９の横桟１２に設けられている取付ブラケット部１８に宛がい、ビス３４を用いて取付ブラケット部１８に取付フランジ部６ａを締結して、制御回路ユニット６を前面キャビネット２に固定する。
【００５６】
（後面キャビネット組付工程：図４参照）
前面キャビネット２における係合突起板部１９ｂと後面キャビネット７における係合穴部３３とを合わせるようにして、前面キャビネット２における外周カバー部２６と後面キャビネット７における外周カバー部７ｂとを突き合わせる。
次いで、後面カバー部７ａのボス部３１を通して内向フランジ板部１８ｂにビス３２を締め込むことにより、後面キャビネット７を前面キャビネット２に固定する。
【００５７】
以上に述べたようにして組み立てられる表示装置１によれば、板金部材９の第１側板部分１３ａと表示パネル前側折曲板部１４と表示パネル後側折曲板部１５との間に表示パネル３を組み込むことにより、表示パネル３がそれら第１側板部分１３ａ、表示パネル前側折曲板部１４および表示パネル後側折曲板部１５によって保持され、表示パネル３が前面キャビネット２に組み付けられるので、従来技術（特許文献１参照）では表示パネル３を前面キャビネット２に組み付けるためにその前面キャビネット２に設ける必要があるビス締付用のボス部が不要になり、少なくともその分だけ前面キャビネット２の額縁幅Ｗを狭くすることができる。
加えて、板金部材９における取付ブラケット部１８に後面キャビネット７を締結する構成が採用されているので、後面キャビネット７を前面キャビネット２に組み付けるためのビス締付用のボス部を前面キャビネット２に設ける必要が無くなり、額縁外周部分２３ｂの幅寸法Ｗ２をより狭くすることができて、前面キャビネット２の額縁幅Ｗを更に狭くすることができる。
なお、前面キャビネット２の額縁幅Ｗを狭くすると、前面キャビネット２の強度が低下するが、板金部材９の表示パネル前側折曲板部１４に一体的に接合されている樹脂部材１０の表示パネル前面突合部２２および額縁部２３の体積（厚み）を表示パネル３の厚み方向に増やすことでその強度低下分を補うことができる。
したがって、必要な強度を確保しつつ前面キャビネット２の額縁幅Ｗの狭小化を図ることができる。
また、従来技術（特許文献１参照）では表示パネル３を前面キャビネット２に組み付けるにあたって必要とされるパネルホルダやそのパネルホルダを固定するためのビス、ビス締付作業が不要になるので、装置構成の簡素化と組立の簡易化を図ることができる。
【００５８】
〔第２の実施形態〕
次に、本発明の第２の実施形態に係る表示装置１Ａについて図７を用いて以下に説明する。
なお、本実施形態の表示装置において、先の実施形態の表示装置と同一または同様のものについては、図に同一符号を付すに留めてその詳細な説明を省略することとし、以下においては先の実施形態の表示装置と異なる点を中心に説明することとする（後述する各実施形態の表示装置についても同様）。
【００５９】
図７に示されるように、本実施形態の表示装置１Ａにおいて、板金部材９は、表示器８の側面に対向する側板部１３と、表示パネル３の外周部の前面に対向する表示パネル前側折曲板部１４と、バックライト装置５の外周部の後面に対向するバックライト装置後側折曲板部１７とを有している。
この板金部材９の側板部１３には、樹脂製の押付部材３５が装着されている。この押付部材３５は、側板部１３の内面に対向する側板部対向板部３５ａと、この側板部対向板部３５ａの前部から内向き（図７では右向き）に張り出されて表示パネル３の外周部の後面に対向する表示パネル後面対向板部３５ｂとを備えている。側板部対向板部３５ａには、側板部１３に穿設された取付孔３６に挿入されて掛け止められる掛止部３７が形成されている。表示パネル後面対向板部３５ｂの張出方向先端部には、表示パネル３の外周部の後面に突き合わされる突起部３８が形成されている。こうして、側板部１３の取付孔３６に押付部材３５の掛止部３７を挿入して側板部１３に押付部材３５を装着することにより、押付部材３５の突起部３８から表示パネル３に押付力を付勢して表示パネル３を後方から押え付けることができる。
【００６０】
以上に述べたように構成される表示装置１Ａにおいては、表示パネル３の側面を表示パネル側面突合部２１に突き合わせるとともに、表示パネル３の外周部の前面を表示パネル前面突合部２２に突き合わせるようにして、表示パネル３を側板部１３と表示パネル前側折曲板部１４との間に組み込み、その後、側板部１３の取付孔３６に押付部材３５の掛止部３７を挿入して側板部１３に押付部材３５を装着する。こうして、表示パネル３は、側板部１３、表示パネル前側折曲板部１４および押付部材３５によって保持されるので、表示パネル３を前面キャビネット２に容易に組み付けることができる。
【００６１】
次いで、第１拡散板４ａ乃至第４拡散板４ｄを順次に押付部材３５の側板部対向板部３５ａに突き合せながら表示パネル後面対向板部３５ｂ上に積み重ねて拡散板ユニット４を構築する。また、バックライト装置５の側面を側板部対向板部３５ａに突き合わせるとともに、バックライト装置５の外周部の前面を既に構築された拡散板ユニット４に突き合わせるようにして、バックライト装置５を側板部対向板部３５ａと拡散板ユニット４とバックライト装置後側折曲板部１７との間に組み込む。このバックライト装置５の組込作業の後に緩衝材３０をバックライト装置後側折曲板部１７に装着する、あるいは該組込作業の前に予め緩衝材３０をバックライト装置後側折曲板部１７に装着する、のいずれであってもよい。
【００６２】
こうして、拡散板ユニット４およびバックライト装置５が、押付部材３５における側板部対向板部３５ａおよび表示パネル後面対向板部３５ｂと、バックライト装置後側折曲板部１７とによって保持されるので、拡散板ユニット４およびバックライト装置５を前面キャビネット２に容易に組み付けることができる。
【００６３】
ここで、治具等を用いて、表示パネル前側折曲板部１４に対しバックライト装置後側折曲板部１７を引き離す方向に操作力を作用させてバックライト装置後側折曲板部１７を予め外側に撓ませておくことにより、拡散板ユニット４およびバックライト装置５の組み込み作業をより容易に行うことができる。なお、治具等の操作力を解除すると、板金部材９が有するばね性によって、バックライト装置後側折曲板部１７が元の状態に復帰する。
【００６４】
第２の実施形態の表示装置１Ａによっても、第１の実施形態の表示装置１と同様の作用効果を得ることができる。
【００６５】
〔第３の実施形態〕
次に、本発明の第３の実施形態に係る表示装置４１について図８〜図１０を用いて以下に説明する。
図８に示されるように、本実施形態の表示装置４１は、表示画面に対応する開口部４２ａを有する四角額縁形状の前面キャビネット４２と、表示パネル３や拡散板ユニット４、バックライト装置５等（図２参照）の表示器構成部品を筐体に組み込んで１つの組立部品として構成した表示器モジュール４３と、表示器モジュール４３を制御する制御回路ユニット４６と、前面キャビネット４２に組み合わされる後面キャビネット４７とを備えている。
この表示装置４１においては、前面キャビネット４２に表示器モジュール４３を組み付け、この表示器モジュール４３の後方に制御回路ユニット４６を配置し、前面キャビネット４２に後面キャビネット４７を装着することによって組み立てられる。
この表示装置４１では、表示器モジュール４３を前後のキャビネット４２，４７で支持する構造を呈している。
【００６６】
図９および図１０に示されるように、前面キャビネット４２は、板金部材４９と樹脂部材５０との複合体であり、板金部材４９を予め射出成型用金型内に設置し、その後、この金型内に樹脂を注入する射出成形法（アウトサート成形法）により、板金部材４９と樹脂部材５０とを一体成形して作製されるものである。
【００６７】
図９に示されるように、板金部材４９は、左右にそれぞれに配されて上下方向に延設される縦桟５１（右側のみ図示）と、上下にそれぞれ配されて左右方向に延設される横桟５２とが一体的に組まれて四角枠形状に形成されている。この板金部材４９は、弾性（ばね性）と共に導通性を有する金属板にプレス加工を施すことにより作製される。
【００６８】
なお、本実施形態では、板金部材４９として、左右の縦桟５１と上下の横桟５２とが一体の構成のものを例示したが、これに限定されるのではなく、左右の縦桟５１および上下の横桟５２をそれぞれ独立にプレス加工にて作製し、各縦桟５１と各横桟５２とを接合手段により接合して板金部材４９を組み立てる構成を採用してもよい。ここで、接合手段としては、図示による詳細説明は省略するが、例えば、各縦桟５１に形成した嵌合凹部（または嵌合凸部）と、各横桟５２に形成した嵌合凸部（または嵌合凹部）とを嵌め合わせて接合するというものが挙げられる。
【００６９】
次に、板金部材４９のより詳細な構造について図９および図１０を用いて説明する。
【００７０】
図１０に示されるように、板金部材４９は、側板部５３、表示器モジュール前側折曲板部５４、表示器モジュール後側折曲板部５５、取付ブラケット部５８およびステー部５９をそれぞれ有している。
【００７１】
側板部５３は、表示器モジュール４３の側面に対向するように配設されている。
表示器モジュール前側折曲板部５４は、表示器モジュール４３の外周部の前面に対向するように側板部５３の前部に連設されている。
表示器モジュール後側折曲板部５５は、表示器モジュール４３の外周部の後面に対向するように側板部５３の後部に連設されている。
取付ブラケット部５８は、側板部５３から後方に立ち上がり状に連設される起立板部５８ａと、この起立板部５８ａから内向き（図１０では右向き）に連設される内向フランジ板部５８ｂとにより構成されている。なお、この取付ブラケット部５８は、縦桟５１のみならず、図９に示されるように、制御回路ユニット４６の取付フランジ部４６ａに対応して横桟５２にも設けられている。
図１０に示されるように、ステー部５９は、側板部５３から外向き（図１０では左向き）に張り出される張出板部５９ａと、この張出板部５９ａの張出方向先端部に後方に向けて延設される係合突起板部５９ｂとにより構成されている。
【００７２】
このような構造の板金部材４９は、前面キャビネット４２の骨組を構成する主強度材としての役目をする。
【００７３】
次に、樹脂部材５０のより詳細な構造について図１０を用いて以下に説明する。
【００７４】
図１０に示されるように、樹脂部材５０は、表示器モジュール前面突合部６２と、額縁部６３と、外周カバー部６６とを有している。
【００７５】
表示器モジュール前面突合部６２は、表示器モジュール４３の外周部の前面と表示器モジュール前側折曲板部５４との間に介在されてその表示器モジュール前側折曲板部５４の後面に一体的に接合されている。
【００７６】
額縁部６３は、額縁内周部分６３ａと額縁外周部分６３ｂとにより構成されている。額縁内周部分６３ａは、幅寸法がＷ１に設定されて前面キャビネット４２の額縁内周部を構成し、表示器モジュール前面突合部６２から表示器モジュール前側折曲板部５４の前面側に連続してその表示器モジュール前側折曲板部５４の前面に一体的に接合されている。額縁外周部分６３ｂは、幅寸法がＷ２に設定されて前面キャビネット４２の額縁外周部を構成する。額縁内周部分６３ａの幅寸法Ｗ１と額縁外周部分６３ｂの幅寸法がＷ２との合計が前面キャビネット４２の額縁幅寸法Ｗとなる。
【００７７】
外周カバー部６６は、前面キャビネット４２の外周面を構成するものであり、額縁部６３の外周縁から後方に向けて延設され、ステー部５９の係合突起板部５９ｂの先端部を残すようにしてその係合突起板部５９ｂに一体的に接合されている。
【００７８】
樹脂部材５０は、板金部材４９を補強する補強材としての役目をするとともに、表示器モジュール４３に対する保護材としての役目をする。
【００７９】
表示器モジュール４３の側面と板金部材４９の側板部５３との間には、緩衝材６７が介在されている。この緩衝材６７は、側板部５３の内面に予め貼り付けられている。
表示器モジュール後側折曲板部５５の折曲方向先端部には、表示器モジュール４３の外周部の後面に接当される緩衝材７０が装着されている。
【００８０】
後面キャビネット４７は、樹脂製で、後面カバー部４７ａと、外周カバー部４７ｂとを有している。後面カバー部４７ａは、前面キャビネット４２に組み付けられた表示器モジュール４３の後面を覆って後面キャビネット４７の後面を構成する。外周カバー部４７ｂは、後面キャビネット４７の外周面を構成するものであり、後面カバー部４７ａから前方に向けて延設され、前面キャビネット４２における外周カバー部６６に突き合わされる。
【００８１】
この後面キャビネット４７の後面カバー部４７ａには、板金部材４９における取付ブラケット部５８の内向フランジ板部５８ｂに突き合わされるボス部７１が形成されている。後面カバー部４７ａの後方からボス部７１を貫通して内向フランジ板部５８ｂに螺合するビス７２の締め付けにより、後面キャビネット４７が前面キャビネット４２に固定される。
この後面キャビネット４７の外周カバー部４７ｂには、板金部材４９のステー部５９における係合突起板部５９ｂに対応する係合穴部７３が形成されている。これら係合突起板部５９ｂと係合穴部７３とを合わせるようにして、前面キャビネット４２における外周カバー部６６と後面キャビネット４７における外周カバー部４７ｂとを突き合わせることにより、前面キャビネット４２に対し後面キャビネット４７を容易に位置決めして装着することができる。
【００８２】
以上に述べたように構成される表示装置４１は、表示器モジュール組付工程、制御回路ユニット組付工程および後面キャビネット組付工程を経て組み立てられる。
【００８３】
（表示器モジュール組付工程：図１０参照）
表示器モジュール４３の外周部の前面を表示器モジュール前面突合部６２に突き合わせるようにして、表示器モジュール４３を側板部５３と表示器モジュール前側折曲板部５４と表示器モジュール後側折曲板部５５との間に組み込む。こうして、表示器モジュール４３は、側板部５３と表示器モジュール前側折曲板部５４と表示器モジュール後側折曲板部５５とによって保持されるので、表示器モジュール４３を前面キャビネット４２に容易に組み付けることができる。また、表示器モジュール前面突合部６２および緩衝材６７，７０により、外部から表示器モジュール４３に伝達される衝撃や振動が抑えられるので、表示器モジュール４３を外部からの衝撃等から保護することができる。また、緩衝材６７，７０の弾性力により、表示器モジュール４３をより安定的に保持することができる。
【００８４】
この表示器モジュール組付工程において、治具等を用いて、表示器モジュール前側折曲板部５４に対し表示器モジュール後側折曲板部５５を引き離す方向に操作力を作用させて表示器モジュール後側折曲板部５５を予め外側に撓ませておくことにより、表示器モジュール４３の組み込み作業をより容易に行うことができる。なお、治具等の操作力を解除すると、板金部材４９が有するばね性によって、表示器モジュール後側折曲板部５５が元の状態に復帰する。
【００８５】
（制御回路ユニット組付工程：図９参照）
制御回路ユニット４６に設けられている取付フランジ部４６ａを、板金部材４９の横桟５２に設けられている取付ブラケット部５８に宛がい、ビス７４を用いて取付ブラケット部５８に取付フランジ部４６ａを締結して、制御回路ユニット４６を前面キャビネット４２に固定する。
【００８６】
（後面キャビネット組付工程：図１０参照）
前面キャビネット４２の係合突起板部５９ｂと後面キャビネット４７の係合穴部７３とを合わせるようにして、前面キャビネット４２の外周カバー部６６と後面キャビネット４７の外周カバー部４７ｂとを突き合わせる。
次いで、後面カバー部４７ｂのボス部７１を通して内向フランジ板部５８ｂにビス７２を締め込むことにより、後面キャビネット４７を前面キャビネット４２に固定する。
【００８７】
以上に述べたようにして組み立てられる表示装置４１によれば、板金部材４９の側板部５３と表示器モジュール前側折曲板部５４と表示器モジュール後側折曲板部５５との間に表示器モジュール４３を組み込むことにより、表示器モジュール４３がそれら側板部５３、表示器モジュール前側折曲板部５４および表示器モジュール後側折曲板部５５によって保持され、表示器モジュール４３が前面キャビネット４２に組み付けられるので、従来技術（特許文献１参照）では表示器モジュール４３（表示パネル３）を前面キャビネット４２に組み付けるためにその前面キャビネット４２に設ける必要があるビス締付用のボス部が不要になり、少なくともその分だけ前面キャビネット４２の額縁幅Ｗを狭くすることができる。
加えて、板金部材４９の取付ブラケット部５８に後面キャビネット４７を締結する構成が採用されているので、後面キャビネット４７を前面キャビネット４２に組み付けるためのビス締付用のボス部を前面キャビネット４２に設ける必要が無くなり、前面キャビネット４２の額縁幅Ｗを更に狭くすることができる。
なお、前面キャビネット４２の額縁幅Ｗを狭くすると、前面キャビネット４２の強度が低下するが、板金部材４９の表示器モジュール前側折曲板部５４に一体的に接合されている樹脂部材５０の表示器モジュール前面突合部６２および額縁部６３の体積（厚み）を表示器モジュール４３の厚み方向に増やすことでその強度低下分を補うことができる。
したがって、必要な強度を確保しつつ前面キャビネット４２の額縁幅Ｗの狭小化を図ることができる。
また、従来技術（特許文献１参照）では表示器モジュール４３（表示パネル３）を前面キャビネット４２に組み付けるにあたって必要とされるパネルホルダやそのパネルホルダを固定するためのビス、ビス締付作業が不要になるので、装置構成の簡素化と組立の簡易化を図ることができる。
【００８８】
〔第３の実施形態の表示装置の変形例（１）〕
次に、第３の実施形態の表示装置４１の変形例（１）に係る表示装置４１Ａについて図１１および図１２を用いて以下に説明する。
図１１に示されるように、本変形例の表示装置４１Ａにおいては、板金部材４９の側板部５３に側面押付板部８０が設けられている。この側面押付板部８０は、図１２に示されるように、側板部５３の一部を表示器モジュール４３の側面に押し付けるように膨出させて形成されている。この側面押付板部８０により、表示器モジュール４３を側面からより強固に保持することができる。
【００８９】
〔第３の実施形態の表示装置の変形例（２）〕
次に、第３の実施形態の表示装置４１の変形例（２）に係る表示装置４１Ｂについて図１３を用いて以下に説明する。
図１３に示されるように、本変形例の表示装置４１Ｂにおいては、表示器モジュール後側折曲板部５５の折曲方向先端部を表示器モジュール４３の外周部の後面に突き合わせるように屈曲させて屈曲部５５ａが形成されている。この屈曲部５５ａにより、表示器モジュール４３を後面側からより強固に保持することができる。
【００９０】
〔第３の実施形態の表示装置の変形例（３）〕
次に、第３の実施形態の表示装置４１の変形例（３）に係る表示装置４１Ｃについて図１４を用いて以下に説明する。
本変形例の表示装置４１Ｃにおいて、樹脂部材５０は、表示器モジュール４３の外周部の前面と表示器モジュール前側折曲板部５４との間にのみ介在されてその表示器モジュール前側折曲板部５４の後面に一体的に接合されている。
また、第３の実施形態の表示装置４１（図１０参照）では設けられているステー部５９を省略し、板金部材４９の側板部５３に、後面キャビネット４７における係合穴部７３に嵌合可能な係合突起板部８１を連設し、この係合突起板部８１と係合穴部７３とを合わせるようにして、板金部材４９の側板部５３と後面キャビネット４７の外周カバー部４７ｂとを突き合わせ、後面カバー部４７ａのボス部７１を通して内向フランジ板部５８ｂにビス７２を締め込むことにより、後面キャビネット４７を前面キャビネット４２に固定するようにしている。
本変形例の表示装置４１Ｃにおいては、板金部材４９それ自体が前面キャビネット４２の外観を構成することになり、前面キャビネット４２の額縁幅Ｗを最も狭くすることができる。
なお、表示器モジュール前側折曲板部５４の後面側に前面に貫通しない微細な凹部を設ける、あるいは接着層を設けることにより、表示器モジュール前側折曲板部５４の後面に樹脂部材５０をより強固に接合することができる。
【００９１】
〔第４の実施形態〕
次に、本発明の第４の実施形態に係る表示装置４１Ｄについて図１５を用いて以下に説明する。
第３の実施形態の表示装置４１（図１０参照）においては、表示器モジュール後側折曲板部５５を用いて表示器モジュール４３を後方から押え付けるようにしているのに対し、本実施形態の表示装置４１Ｄにおいては、図１５に示されるように、板金部材４９の側板部５３に装着される押付部材３５を用いて表示器モジュール４３を後方から押え付けるようにしている。この押付部材３５は、第２の実施形態の表示装置１Ａ（図７参照）において用いられている押付部材３５と同じものである。
【００９２】
表示器モジュール４３の前面キャビネット４２への組み付けは、次のようにして行われる。
表示器モジュール４３の外周部の前面を表示器モジュール前面突合部６２に突き合わせるようにして、表示器モジュール４３を側板部５３と表示器モジュール前側折曲板部５４との間に組み込む。次いで、側板部５３の取付孔７６に押付部材３５の掛止部３７を挿入して側板部５３に押付部材３５を装着する。これにより、押付部材３５の突起部３８から表示器モジュール４３に押付力を付勢して表示器モジュール４３を後方から押え付けることができる。こうして、表示器モジュール４３は、側板部５３、表示器モジュール前側折曲板部５４および押付部材３５によって保持されるので、表示器モジュール４３を前面キャビネット４２に容易に組み付けることができる。
【００９３】
第４の実施形態の表示装置４１Ｄによっても、第３の実施形態の表示装置４１と同様の作用効果を得ることができる。
【００９４】
〔第５の実施形態〕
次に、本発明の第５の実施形態に係る表示装置４１Ｅについて図１６を用いて以下に説明する。
第３の実施形態の表示装置４１（図１０参照）においては、表示器モジュール後側折曲板部５５を用いて表示器モジュール４３を後方から押え付けるようにしているのに対し、本実施形態の表示装置４１Ｅにおいては、図１６に示されるように、板金部材４９の側板部５３に設けられる係止爪部８２を用いて表示器モジュール４３を後方から押え付けるようにしている。この係止爪部８２は、側板部５３の一部を内側（図１６では右側）に折り曲げてその先端側を表示器モジュール４３の外周部の後面に突き合わせるように形成してなるものである。この係止爪部８２の先端部には、表示器モジュール４３に接当される緩衝材８３が装着されている。
【００９５】
表示器モジュール４３の前面キャビネット４２への組み付けは、次のようにして行われる。
表示器モジュール４３を係止爪部８２に突き当てながら表示器モジュール４３を表示器モジュール前面突合部６２に向けて押し込んでいく。この際、表示器モジュール４３を押し込むための押込力の一部が、係止爪部８２を外側（図１６では左側）に向けて撓ませる操作力として作用する。表示器モジュール４３の外周部の前面が表示器モジュール前面突合部６２に突き合わされるまで押し込まれると、それまで表示器モジュール４３に突き当てられて外側に押しのけられていた係止爪部８２が表示器モジュール４３から解放されて弾性復元力により元の状態に戻って、表示器モジュール４３の外周部の後面に係止爪部８２が突き合わされる状態となる。この表示器モジュール４３の組込作業の後に緩衝材８３を係止爪部８２に装着する、あるいは該組込作業の前に予め緩衝材８３を係止爪部８２に装着する、のいずれであってもよい。
【００９６】
こうして、表示器モジュール４３は、側板部５３、表示器モジュール前側折曲板部５４および係止爪部８２によって保持されるので、表示器モジュール４３を前面キャビネット４２に容易に組み付けることができる。また、表示器モジュール前面突合部６２および緩衝材６７，８３により、外部から表示器モジュール４３に伝達される衝撃や振動が抑えられるので、表示器モジュール４３を外部からの衝撃等から保護することができる。また、緩衝材６７，８３の弾性力により、表示器モジュール４３をより安定的に保持することができる。
【００９７】
第５の実施形態の表示装置４１Ｅによっても、第３の実施形態の表示装置４１と同様の作用効果を得ることができる。
【００９８】
〔第６の実施形態〕
次に、本発明の第６の実施形態に係る表示装置４１Ｆについて図１７を用いて以下に説明する。
第３の実施形態の表示装置４１（図１０参照）においては、表示器モジュール後側折曲板部５５を用いて表示器モジュール４３を後方から押え付けるようにしているのに対し、本実施形態の表示装置４１Ｆにおいては、図１７に示されるように、後面キャビネット４７を用いて表示器モジュール４３を後方から押え付けるようにしている。
【００９９】
すなわち、後面キャビネット４７の後面カバー部４７ａには、該後面キャビネット４７が板金部材４９の取付ブラケット部５８にビス７２によって締結された状態において表示器モジュール４３の後面に突き当てられる突起部８４が形成されており、板金部材４９の側板部５３と表示器モジュール前側折曲板部５４との間に表示器モジュール４３を組み込むとともに、後面キャビネット４７を板金部材４９の取付ブラケット部５８にビス７２で締結することにより、表示器モジュール４３がそれら側板部５３、表示器モジュール前側折曲板部５４および突起部８４によって保持されるので、表示器モジュール４３を前面キャビネット４２に容易に組み付けることができる。
【０１００】
第６の実施形態の表示装置４１Ｆによっても、第３の実施形態の表示装置４１と同様の作用効果を得ることができる。
【０１０１】
以上、本発明の表示装置について、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【産業上の利用可能性】
【０１０２】
本発明の表示装置は、必要な強度を確保しつつ前面キャビネットの額縁幅の狭小化を図ることができるという特性を有していることから、例えば液晶パネルや液晶モジュールを前後のキャビネットで支持する構造の液晶テレビや液晶モニターなどの用途に好適に用いることができる。
【符号の説明】
【０１０３】
１，１Ａ，４１，４１Ａ〜４１Ｆ    表示装置
２，４２      前面キャビネット
３            表示パネル
４            拡散板ユニット
５            バックライト装置
６            制御回路ユニット
７，４７      後面キャビネット
９            板金部材
１０          樹脂部材
１３，５３    側板部
１４          表示パネル前側折曲板部
１５          表示パネル後側折曲板部
１８，５８    取付ブラケット部
３５          押付部材
４３          表示器モジュール
５４          表示器モジュール前側折曲板部
５５          表示器モジュール後側折曲板部
８２          係止爪部
８４          突起部
【図１】
2010237474.tif 000003
【図２】
2010237474.tif 000004
【図３】
2010237474.tif 000005
【図４】
2010237474.tif 000006
【図５】
2010237474.tif 000007
【図６】
2010237474.tif 000008
【図７】
2010237474.tif 000009
【図８】
2010237474.tif 000010
【図９】
2010237474.tif 000011
【図１０】
2010237474.tif 000012
【図１１】
2010237474.tif 000013
【図１２】
2010237474.tif 000014
【図１３】
2010237474.tif 000015
【図１４】
2010237474.tif 000016
【図１５】
2010237474.tif 000017
【図１６】
2010237474.tif 000018
【図１７】
2010237474.tif 000019